(57)【要約】【課題】原稿読取装置の操作パネルに備え付ける部品点数を削減して、ユーザからの指示を受け付ける処理を高速に行うための技術を提供する。【解決手段】原稿読取装置１００は、原稿を読み取ることができる。原稿読取装置１００は、光を透過する複数の領域（孔）が配置されているスキャナボタン部１１１と、スキャナボタン部１２１に照射した光の反射光の光強度を検知する受光素子３０３群と、検知した光強度に応じて変換された信号を、予め定めた操作入力として受け付ける光強度情報解析部２０２と、を備える。これにより、原稿読取装置１００は、スキャナボタン部１２１の操作入力を受け付けることができる。【選択図】図５
2008245091.tif 000002
【特許請求の範囲】
【請求項１】
原稿を読み取る原稿読取装置であって、
光を透過する複数の領域が配置されているパネルと、
前記パネルに照射した光の反射光の光強度を検知する受光素子群と、
検知した光強度に応じて変換された信号を、予め定めた操作入力として受け付ける光強度情報解析部と、
を備えることを特徴とする原稿読取装置。
【請求項２】
請求項１に記載の原稿読取装置であって、
前記受光素子群は、
キャリッジに配置され、
前記キャリッジのホームポジションで、前記パネルに照射した光の反射光の光強度を検知する、
ことを特徴とする原稿読取装置。
【請求項３】
請求項２に記載の原稿読取装置であって、
前記キャリッジ及び前記受光素子群は、
原稿を読み取るときにおいて使用されるものと同一のものである、
ことを特徴とする原稿読取装置。
【請求項４】
請求項１乃至３のいずれか１項に記載される原稿読取装置であって、
前記パネルに配置されている領域は、該領域を識別するための文字の形状からなる、
ことを特徴とする原稿読取装置。
【請求項５】
請求項１乃至３のいずれか１項に記載の原稿読取装置であって、
前記パネルに配置されている領域には、照射された光を反射する平面を有するスイッチが配置され、
前記スイッチは、
押下されたときに、前記キャリッジと前記平面との間隙を小さくすることで、反射光の光強度を強める機構を有する、
ことを特徴とする原稿読取装置。
【請求項６】
請求項１乃至５のいずれか１項に記載の原稿読取装置であって、
前記受光素子を特定するための受光素子番号と、各受光素子が検知した光強度を特定する光強度情報と、を対応付けて格納する光強度情報格納テーブルと、
前記パネルに配置された各領域を識別するための識別情報と、該領域に照射した光の反射光の光強度を検知する受光素子を特定する受光素子番号と、を対応付けて格納している対応テーブルと、
を備え、
前記光強度情報解析部は、
前記対応テーブルに格納されている識別情報に対応する受光素子番号を取得し、光強度情報格納テーブルにアクセスして、取得した受光素子番号に対応づけて格納されている光強度情報の平均値を算出し、算出した平均値が所定の基準値以下である場合に、該受光素子番号に対応づけられている識別情報に対応する領域が操作されたと特定する、
ことを特徴とする原稿読取装置。
【請求項７】
原稿を読み取る原稿読取装置における入力受付方法であって、
前記原稿読取装置は、
光を透過する複数の領域が配置されているパネルと、
前記パネルに照射した光の反射光の光強度を検知する受光素子群と、
を備え、
前記受光素子群が検知した光強度に応じて変換された信号を、予め定めた操作入力として受け付ける光強度情報解析ステップ、
を有することを特徴とする入力受付方法。
【請求項８】
コンピュータを、原稿を読み取る原稿読取装置として機能させるプログラムであって、
前記コンピュータは、
光を透過する複数の領域が配置されているパネルと、
前記パネルに照射した光の反射光の光強度を検知する受光素子群と、
を備え、
前記受光素子が検知した光強度に応じて変換された信号を、予め定めた操作入力として受け付ける光強度情報解析処理、
を行うことを特徴とするプログラム。
【発明の詳細な説明】
【技術分野】
【０００１】
本発明は、原稿読取装置に係り、特に、操作パネルに使用する部品点数を減らす技術に関する。
【背景技術】
【０００２】
一般的に、複合機、ファクシミリ、印刷機、等の原稿を読み取る機能を有する原稿読取装置は、操作パネルを備え、ユーザによって操作パネルが操作されることで指示を受け付ける。近年、多種多様な機能を有する原稿読取装置が開発されるようになり、各機能の設定は多岐にわたる。そのため、各機能の設定を受け付ける操作パネルには、ボタン等を含む多くの部品が備え付けられるようになってきている。
【０００３】
しかし、操作パネルに多くの部品を備え付けると、原稿読取装置のコストは高くなる。そこで、例えば、特許文献１には、操作パネルに備え付ける部品点数を減らすために、マークシートを利用して、印刷する写真の選択や、印刷部数の設定を行う技術について記載されている。
【０００４】
【特許文献１】特開平５−３２４７３７号
【発明の開示】
【発明が解決しようとする課題】
【０００５】
しかしながら、マークシートを利用して設定を行う場合、原稿読取装置は、マークシートに記入された白黒画像を読み取るために、マークシートを搬送させたり、画像を線状に読み取るキャリッジを走査させる必要がある。そのため、原稿読取装置へのユーザからの指示を受け付ける処理に時間がかかるという問題がある。
【０００６】
本発明は、原稿読取装置の操作パネルに備え付ける部品点数を削減して、ユーザからの指示を受け付ける処理を高速に行うための技術を提供することを目的とする。
【課題を解決するための手段】
【０００７】
上記課題を解決するため、本発明は、原稿を読み取る原稿読取装置であって、光を透過する複数の領域が配置されているパネルと、前記パネルに照射した光の反射光の光強度を検知する受光素子群と、検知した光強度に応じて変換された信号を、予め定めた操作入力として受け付ける光強度情報解析部と、を備えることを特徴とする。
【発明の効果】
【０００８】
本発明の原稿読取装置によれば、操作パネルに備え付ける部品点数を削減して、ユーザからの指示を受け付ける処理を高速に行うことができる。
【発明を実施するための最良の形態】
【０００９】
以下、本発明の最良の実施の形態を、図面を参照して説明する。
【００１０】
本発明の実施形態に適用される原稿読取装置１００の外観の一例を、図１に示す。原稿読取装置１００は、原稿を読み取る機能を有する、ファクシミリや、複合機、等である。原稿読取装置１００は、図示するように、原稿を読み取るための原稿読取部１０３と、原稿読取部１０３を支持するベース１０２と、原稿読取部１０３が読み取る原稿を固定するための蓋体１０１と、を有する。
【００１１】
原稿読取部１０３は、図２（Ａ）に示すように、スキャナボタン部１１１と、ガラス台１１２と、キャリッジ１１３と、入力部１１５と、を有する。原稿読取部１０３は、ガラス台１１２に置かれた原稿を、キャリッジ１１３を用いて読み取る。また、原稿読取部１０３は、スキャナボタン部１１１及びキャリッジ１１３を用いて、ユーザからの指示を受け付ける。
【００１２】
キャリッジ１１３は、図３（Ａ）に示すように、複数の受光素子３０３を有する。図３（Ａ）は、原稿読取部１０３を、図２に示すＺ面に垂直な方向からみた図である。各受光素子３０３は、入射された反射光の強度に応じた電気信号を生成する。キャリッジ１１３が有する光源（図示せず）は、ガラス台１１２上の原稿に光を照射し、各受光素子３０３がその反射光を電気信号に変換することで、原稿を読み取る。原稿読み取り時においては、この変換は、キャリッジ１１３が原稿に対して水平に移動しているときに、各受光素子３０３で行われる。このとき、キャリッジ１１３が平行移動する方向は、図２（Ａ）に示す走査方向（±Ｘの双方向）である。これにより、原稿読取装置１００は、２次元イメージを取り込むことができる。
【００１３】
スキャナボタン部１１１は、ユーザからの指示を原稿読取装置１００へ入力する。スキャナボタン部１１１は、ホームポジション（以下、第１の停止位置という）に位置するキャリッジ１１３に備わる複数の受光素子３０３が、スキャナボタン部１１１に照射した光の反射光を電気信号に変換することで、ユーザからの入力を受け付ける。例えば、スキャナボタン部１１１には、図４に示すように、キャリッジ１１３の光源から出力された光を透過する領域（例えば、孔１２１）が複数設けられる。孔１２１は、例えば、１０個設けられる。受光素子３０３は、スキャナボタン部１１１からの反射光を電気信号に変換する。このとき、スキャナボタン部１１１の孔１２１が設けられていない部分の反射光に対して、孔１２１付近の反射光の強度は弱くなる（このときの、原稿読取部１０３を、図２（Ｂ）に示すＺ面に垂直な方向からみた図は、図３（Ｂ）に示すようになる）。従って、受光素子３０３がスキャナボタン部１１１からの反射光を電気信号に変換して得られる光強度情報１５０は、図４（左側）に示すようになる。すなわち、孔１２１付近に対応する光強度情報は、黒を示す値となり、それ以外の部分に対応する光強度情報は、白を示す値となる。このとき、孔１２１のいずれかを、ユーザが指で覆うと、その部分の反射光の強度は強くなるため、得られる光強度情報は、白を示す値となる。原稿読取装置１００は、上記特性を利用して、スキャナボタン部１１１上の、いずれの孔１２１をユーザが覆っているかを特定することができる。また、スキャナボタン部１１１には、ユーザが各孔１２１を識別可能なように、孔識別番号１２２が各孔１２１に対応させて記載される。この孔識別番号１２２は、例えば、０から９の連続する整数値等でよい。
【００１４】
図２（Ａ）に戻って、入力部１１５は、ユーザからの指示を原稿読取装置１００へ入力する。入力部１１５は、例えば、原稿の読み取り開始、ＦＡＸの通信開始、等を指示するためのスタートボタンや、スキャナボタン部１１１からユーザの指示を受け付ける「スキャン形式ボタンモード」等へのモード切り替えを指示するボタン、から構成される。
【００１５】
また、原稿読取部１０３は、図２（Ｂ）に示すように、スキャナボタン部１１１とガラス台１１２の間に、複数枚の原稿をセットして自動的に連続読み取りを行うためのＡＤＦ（Auto Document Feeder）原稿読み取り部１１４を備えるようにしてもよい。この場合、ＡＤＦ原稿読み取り部１１４に送られてきた原稿のスキャン開始時には、キャリッジ１１３を、ＡＤＦ原稿読み取り部１１４の位置（以下、第２の停止位置という）に移動させるようにする。原稿読み取り部１１４を備える原稿読取部１０３においても、キャリッジ１１３を第１の停止位置に停止させた状態で、スキャナボタン部１１１からのユーザの入力を受け付けることができる。
【００１６】
次に、原稿読取装置１００の機能構成の一例を、図５のブロック図に示す。図示するように、原稿読取装置１００は、制御部２００を有する。制御部２００は、上述したキャリッジ１１３を制御するキャリッジ制御部２０１と、上述した光強度情報１５０を解析する光強度情報解析部２０２と、上述した入力部１１５からの入力信号及び光強度情報解析部２０２の解析結果に基づいて次処理を決定する処理決定部２０３と、原稿読取装置１００の状態を特定する情報が記憶されている状態記憶部２０４と、を有する。
【００１７】
制御部２０１のキャリッジ制御部２０１は、駆動制御部２１１と、Ａ／Ｄコンバータ２１２、光強度情報蓄積部２１３と、を有する。
【００１８】
駆動制御部２１１は、キャリッジ１１３を制御するための制御信号を生成して、生成した制御信号を、キャリッジ１１３の駆動部３０１に供給する。例えば、駆動制御部２１１は、キャリッジ１１３にスキャン処理を行わせるための制御信号を生成する。また、駆動制御部２１１は、キャリッジ１１３にスキャナボタン部１１１におけるユーザの操作を読み取らせるための制御信号を生成する。
【００１９】
Ａ／Ｄコンバータ２１２は、キャリッジ１１３から供給された電気信号をデジタル信号に変換する処理を行う。具体的には、Ａ／Ｄコンバータ２１２は、受光素子３０３が光強度に応じて生成した電気信号が供給されたときに、その電気信号に応じた光強度情報１５０を生成する。Ａ／Ｄコンバータ２１２は、生成した光強度情報１５０を、光強度情報蓄積部２１３に供給して記憶させる。
【００２０】
光強度情報蓄積部２１３には、光強度情報１５０を蓄積するための光強度情報格納テーブル４０１が格納されている。光強度情報格納テーブル４０１は、例えば、図６（Ａ）に示すように、受光素子番号欄４１１と、光強度情報欄４１２と、を有する。受光素子番号欄４１１には、各受光素子３０３を特定するための受光素子番号が格納されている。また、光強度情報欄４１２には、各受光素子３０３が生成した電気信号に対応する光強度情報１５０が、受光素子番号欄４１１の受光素子番号に対応づけて格納される。
【００２１】
また、光強度情報蓄積部２１３には、スキャナボタン部１１１における各孔１２１からの反射光を受光する受光素子３０３を特定するための受光素子対応テーブル４０２が格納されている。例えば、受光素子対応テーブル４０２は、図６（Ｂ）に示すように、孔識別番号欄４２１と、受光素子番号欄４２２と、を有する。孔識別番号欄４２１には、スキャナボタン部１１１の各孔１２１を特定するための識別番号が格納されている。また、受光素子番号欄４２２には、各孔１２１からの反射光を受光する受光素子３０３を特定するための受光素子番号が、孔識別番号欄４２１の孔識別番号に対応づけて格納されている。
【００２２】
光強度情報解析部２０２は、光強度情報蓄積部２１３に格納されている光強度情報格納テーブル４０１及び受光素子対応テーブル４０２を参照して、スキャナボタン部１１１におけるユーザの操作を特定する。例えば、光強度情報解析部２０２は、スキャナボタン部１１１に設けられた孔１２１のうち、どの孔１２１がユーザの指で覆われたかを特定する。具体的には、光強度情報解析部２０２は、受光素子対応テーブル４０２にアクセスして、各孔識別番号に対応づけて格納されている受光素子番号を取得する。図６（Ｂ）の例では、光強度情報解析部２０２は、孔識別番号「０」に対応づけて格納されている受光素子番号「２〜５」、孔識別番号「１」に対応づけて格納されている受光素子番号「８〜１１」、といった受光素子番号を取得する。次に、光強度情報解析部２０２は、光強度情報格納テーブル４０１にアクセスして、受光素子対応テーブル４０２から取得した受光素子番号に対応づけて格納されている光強度情報１５０を取得する。図６（Ａ）の例では、光強度情報解析部２０２は、受光素子番号「２〜５」に対応づけて格納されている光強度情報「３２、１１、２３、７２」を取得する。続いて、光強度情報解析部２０２は、各孔識別番号ごとに、対応する光強度情報１５０の平均値を求める。例えば、図６（Ａ）（Ｂ）の例では、孔識別番号「０」に対応する光強度情報の平均値は、（３２＋１１＋２３＋７２）／４となる。光強度情報解析部２０２は、求めた光強度情報の平均値が、予め定めた基準値（例えば、５０）以下である場合には、その孔識別番号に対応する孔１２１は、ユーザの指で覆われていると特定する。ここで、基準値以下の孔１２１が複数ある場合には、複数の孔１２１がユーザの指で覆われていると特定する。光強度情報解析部２０２は、上記方法で、スキャナボタン部１１１に設けられた孔１２１のうち、どの孔１２１がユーザの指で覆われているかを特定することができるが、本発明は、上記方法に限定するものではない。
【００２３】
状態記憶部２０４は、原稿読取装置１００の現時点での状態を特定するための状態情報と、図７に示すような処理決定テーブル５００と、を格納している。
【００２４】
状態情報は、例えば、ＦＡＸ通信を行う相手の電話番号の入力を待っている状態、コピーする部数の入力を待っている状態、コピー倍率の入力を待っている状態、等の原稿読取装置１００の状態を示す情報である。また、状態情報は、キャリッジ１１３を第１の停止位置に停止させたままスキャナボタン部１１１をスキャンする「スキャン形式ボタンモード」の状態、ガラス台１１２上の原稿をスキャンする「通常モード」の状態を示す情報を含む。
なお、状態情報は、原稿読取装置１００の状態が遷移するたびに、後述するＣＰＵ７０１により更新されるようにしておく。そして、原稿読取装置１００の状態は、任意に設定可能であり、利用目的等に応じて設定しておけばよい。
【００２５】
処理決定テーブル５００は、図７に示すように、例えば、状態欄５０１と、操作欄５０２と、処理内容欄５０３と、を有する。状態欄５０１には、原稿読取装置１００の状態を示す情報が格納されている。例えば、状態欄５０１に格納されている情報は、状態記憶部２０４に格納されている状態情報と一致する。また、操作欄５０２には、ユーザによる操作を示す情報が格納されている。例えば、操作欄５０２には、通信相手の電話番号の入力、コピーする部数の入力、コピー倍率の入力、短縮番号の入力、等の情報が格納されている。さらに、処理内容欄５０３には、後述する処理決定部２０３が決定する次処理の内容が格納されている。例えば、処理内容欄５０３には、ＦＡＸ通信の開始、倍率入力待ちの処理へ移行、コピー開始、スキャン開始、登録されている相手とＦＡＸ通信開始、等の情報が格納されている。なお、処理内容欄５０３に格納される情報は、次処理の実行プログラムのパスを示す情報であってもよい。
【００２６】
各欄（５０１、５０２、５０３）のデータは、１行に対応づけて格納されている。
【００２７】
処理決定部２０３は、光強度情報解析部２０２又は入力部１１５からの通知を受けたとき、状態記憶部２０４にアクセスして、次処理を決定する。例えば、処理決定部２０３は、状態記憶部２０４にアクセスして、原稿読取装置１００の状態情報、及び、図７に示す処理決定テーブル５００、を参照して次処理を決定する。具体的には、処理決定部２０３は、光強度情報解析部２０２又は入力部１１５からの通知を受けたときに、まず、状態記憶部２０４に格納されている状態情報を取得する。次に、処理決定部２０３は、取得した状態情報と一致する情報を、処理決定テーブル５００の状態欄５０１から抽出する。さらに、処理決定部２０３は、光強度情報解析部２０２又は入力部１１５から受けた通知に対応する情報を、処理決定テーブル５００の操作欄５０２から抽出する。処理決定部２０３は、状態欄５０１及び操作欄５０２から抽出した両情報に対応づけて格納されている処理内容を処理内容欄５０３から抽出する。これにより、処理決定部２０３は、次処理を決定する。
【００２８】
また、処理決定部２０３は、次処理を決定したとき等に、状態記憶部２０４に格納されている状態情報を変更する。
【００２９】
図５に戻って、キャリッジ１１３は、駆動部３０１と、受光部３０２と、を有する。駆動部３０１は、キャリッジ１１３を駆動する。例えば、駆動部３０１は、キャリッジ制御部２０１から供給された制御信号に従って、キャリッジ１１３に、ガラス台１１２上の原稿を読み取らせる。また、駆動部３０１は、キャリッジ制御部２０１から供給された制御信号に従って、キャリッジ１１３に、スキャナボタン部１１１におけるユーザの操作を読み取らせる。受光部３０２は、上述したように複数の受光素子３０３を備え、入射された反射光の強度に応じた電気信号を生成する処理を行う。受光部３０２は、各受光素子３０３で生成した電気信号を、キャリッジ制御部２０１に供給する処理を行う。
【００３０】
以上のように構成される原稿読取装置１００は、例えば、図８に示すような、ＣＰＵ７０１と、主記憶部７０２と、ＡＳＩＣ７０３と、通信ネットワークに接続するためのＮＩＣ（Network Interface Card）等の通信装置７０４と、ＨＤＤ等の外部記憶装置７０５と、スキャン機能を有するキャリッジ、ディスプレイ、キーボードやマウス等の入出力装置７０６と、を備えた一般的なコンピュータで実現される。
【００３１】
例えば、光強度情報蓄積部２１３及び状態管理部２０４は、外部記憶装置７０５により実現可能であり、制御部２００は、外部記憶装置７０５に記憶されている所定のプログラムを主記憶装置７０２にロードしてＣＰＵ７０１で実行することで実現可能であり、入力部１１５、スキャナボタン部１１１、キャリッジ１１３は、入出力装置７０６で実現可能である。また、制御部２００は、ＡＳＩＣ７０３でも実現可能である。
【００３２】
また、制御部２００が実行する所定のプログラムは、通信装置７０４を介してネットワークから、外部記憶装置７０５にダウンロードされ、それから、主記憶装置７０２上にロードされてＣＰＵ７０１により実行されるようにしてもよい。また、通信装置７０４を介してネットワークから、主記憶装置７０２上に直接ロードされ、ＣＰＵ７０１により実行されるようにしてもよい。
【００３３】
以上のように、原稿読取装置１００は、テンキーのような操作パネルを設ける代わりに、スキャナボタン部１１１を設けている。このような構成により、原稿読取装置１００は、操作パネルの部品点数を削減することができる。また、原稿読取装置１００は、スキャナボタン部１１１からユーザの入力を受け付ける際には、キャリッジ１１３をホームポジション（第１の停止位置）から移動させずに受け付けるため、ユーザからの指示を受け付ける処理を高速に行うことができる。
【００３４】
図９は、原稿読取装置１００のスキャナボタン部１１１からユーザの指示を受け付ける処理を説明するためのフローチャートである。
【００３５】
原稿読取装置１００の電源が投入されたときに、制御部２００は、通常モードでシステムを起動する。具体的には、制御部２００は、状態記憶部２０４の状態情報を「通常モード」を示す情報にする。このとき、キャリッジ制御部２０１の駆動制御部２１１は、キャリッジ１１３を第１の停止位置（ホームポジション）に移動させるための制御信号をキャリッジ１１３に供給する。これにより、キャリッジ１１３は、駆動部３０１の制御により、第１の位置に停止した状態を維持する。
【００３６】
この通常モードの状態で、制御部２００は、「通常モード」から「スキャン形式ボタンモード」への切り替えの指示が、ユーザから入力されるまで待機する（ステップＳ１０１；Ｎｏ）。具体的には、処理決定部２０３は、入力部１１５から、「スキャン形式ボタンモード」への切り替えを指示する信号が供給されるまで待機する。
【００３７】
なお、原稿読取装置１００は、モード切り替えの指示を待機している間にも、ＦＡＸ通信や、コピーといった他の処理を実行することは可能である。例えば、「通常モード」で、ガラス台１１２上の原稿をスキャンする場合は、キャリッジ１１３は、図２（Ａ）（Ｂ）に示す走査方向に移動しながら、原稿を読み取る処理を行う。
【００３８】
制御部２００は、「スキャン形式ボタンモード」への切り替えの指示を受け付けたとき（ステップＳ１０１；Ｙｅｓ）、「通常モード」から「スキャン形式ボタンモード」への切り替え処理を実行する（ステップＳ１０２）。具体的には、処理決定部２０３は、入力部１１５から「スキャン形式ボタンモード」への切り替えを指示する信号が供給されたときに、状態記憶部２０４に格納されている状態情報を「スキャン形式ボタンモード」を示す情報に変更する。そして、処理決定部２０３は、状態記憶部２０４に格納されている処理決定テーブル５００を参照して、次処理を決定する。例えば、ここで決定する次処理は、キャリッジ１１３を駆動して、スキャナボタン部１１１を読み取る準備を行う処理でよい。
【００３９】
続いて、制御部２００は、キャリッジ１１３にスキャナボタン部１１１を読み取らせる（ステップＳ１０３）。具体的には、駆動制御部２１１は、キャリッジ１１３を駆動する制御信号を駆動部３０１に供給する。このとき、キャリッジ１１３の受光部３０２は、スキャナボタン部１１１に光を照射して、反射光の光強度を電気信号に変換する。受光部３０２は、変換した電気信号を、Ａ／Ｄコンバータ２１２に供給する。Ａ／Ｄコンバータ２１２は、受光部３０２から供給された電気信号を、デジタル信号の光強度情報１５０に変換して、これを光強度情報蓄積部２１３に記憶する。ここで、光強度情報蓄積部２１３に記憶される光強度情報１５０は、図６（Ａ）に示すように、受光素子番号に対応づけて光強度情報格納テーブル４０１の光強度情報欄４１２に格納される。
【００４０】
このとき、制御部２００の光強度情報解析部２０２は、光強度情報蓄積部２１３に記憶された光強度情報１５０、及び、受光素子対応テーブル４０３を参照して、各孔識別情報に対応する孔１２１から読み取った光強度情報が、それぞれ白を示す光強度情報であるか黒を示す光強度情報であるかを判別する（ステップＳ１０４）。具体的には、光強度情報解析部２０２は、各孔識別番号ごとに、対応する光強度情報１５０の平均値を求める。そして、光強度情報解析部２０２は、求めた平均値が、予め定めた基準値（例えば、５０）以下である場合には、その孔識別番号に対応する孔１２１から読み取った光強度情報は白を示していると判別する。一方、光強度情報解析部２０２は、求めた平均値が、基準値より大きい場合には、その孔識別番号に対応する孔１２１から読み取った光強度情報は黒を示していると判別する。これにより、スキャナボタン部１１１に設けられた孔１２１のうち、どの孔１２１がユーザに指で覆われているかを特定することができる。
【００４１】
ここで、制御部２００の処理決定部２０３は、入力部１１５から、スキャナボタン部１１１におけるユーザの操作を決定する指示を受け付けると（ステップＳ１０５；Ｙｅｓ）、処理をステップＳ１０５に移行させる。一方、所定時間（例えば、１分）、入力部１１５からの指示を受け付けなかった場合には（ステップＳ１０５；Ｎｏ）、処理決定部２０３は、処理をステップＳ１０３に戻す。なお、処理決定部２０３は、ＣＰＵ７０１が有する内部タイマを用いて、ステップＳ１０２で「スキャン形式ボタンモード」に切り替えてからの経過時間を計時しておく。ここで、ユーザの操作を決定する指示を受け付けるまで、ステップＳ１０３、ステップＳ１０４の処理を繰り返すことにより、例えば、電話番号のような数字の連続入力が可能となる。
【００４２】
ステップＳ１０６では、処理決定部２０３は、ステップＳ１０４で特定したユーザのスキャナボタン部１１１における操作に基づいて、次処理を決定する処理を行う（ステップＳ１０６）。
【００４３】
ステップＳ１０６で次処理を決定後、制御部２００は、「スキャン形式ボタンモード」から「通常モード」への切り替えの指示が、ユーザから入力されたか否かを判別する（ステップＳ１０７）。具体的には、処理決定部２０３は、入力部１１５から、「スキャン形式ボタンモード」への切り替えを指示する信号が、所定期間（例えば、１分）経過する前に供給されたか否かで判別する。
【００４４】
制御部２００は、「通常モード」への切り替えの指示を受け付けたとき（ステップＳ１０７；Ｙｅｓ）、「スキャン形式ボタンモード」から「通常モード」への切り替え処理を実行する（ステップＳ１０８）。具体的には、処理決定部２０３は、入力部１１５から「通常モード」への切り替えを指示する信号が供給されたときに、状態記憶部２０４に格納されている状態情報を「通常モード」を示す情報に変更する。そして、処理決定部２０３は、状態記憶部２０４に格納されている処理決定テーブル５００を参照して、次処理を決定する。例えば、ここで決定する次処理は、キャリッジ１１３への電力供給を停止させる処理でよい。その後、制御部２００は、処理をステップＳ１０１に移行させる。
【００４５】
一方、ステップＳ１０７で、制御部２００の処理決定部２０３は、所定期間、「通常モード」への切り替えの指示を受け付けなかった場合には（ステップＳ１０７；Ｎｏ）、処理をステップＳ１０３に移行させる。
【００４６】
以上の処理により、原稿読取装置１００は、キャリッジ１１３を用いて、スキャナボタン部１１１におけるユーザの操作を読み取ることができる。
【００４７】
なお、本発明は、上記実施形態に限定されず、種々の変形、応用が可能である。
【００４８】
例えば、上記実施形態では、制御部２００が、Ａ／Ｄコンバータ２１２、光強度情報蓄積部２１３、を有している。しかしながら、本発明は、これに限定されず、キャリッジ１１３が、Ａ／Ｄコンバータ２１２、光強度情報蓄積部２１３、を有するようにしてもよい。
【００４９】
また、上記実施形態では、スキャナボタン部１１１には、複数の孔１２１が設けられ、ユーザが各孔１２１を識別するための孔識別番号１２２が記載されている。しかしながら、本発明は、これに限定されず、例えば、図１０（Ａ）に示すように、複数の孔１２１を、孔識別番号１２２の形状にしてもよい。
【００５０】
さらに、スキャナボタン部１１１には、図１０（Ｂ）に示すように、複数のスイッチ１２３を設けるようにしてもよい。例えば、スイッチ１２３は、プラスチック成型で作られる。スキャナボタン部１１１において、各スイッチ１２３の周囲に、図１０（Ｂ）に示すような細い孔１２１を設ける。これにより、スイッチ１２３は、ユーザの指で押下された方向に可動となる。図１０（Ｂ）に示すスイッチ１２３の１つが押下されたときの、原稿読取部１０３を、図２（Ａ）に示すＺ面に垂直な方向からみた図は、図１１に示すようになる。スイッチ１２３の下面（キャリッジ１１３方向の面）は、図１１に示すように、キャリッジ１１３が照射した光を反射するように平面にしておく。スイッチ１２３が押下されたとき、キャリッジ１１３とキャリッジ１１３との間隙は小さくなる。これにより、押下されていないスイッチ１２３の下面に反射した光の光強度と比較して、スイッチ１２３の下面に反射した光の光強度は大きくなる。この特性を利用して、本願の原稿読取装置１００は、スキャナボタン部１１１に設けられたスイッチ１２３の、いずれのスイッチ１２３がユーザに押下されているかを特定することができる。なお、スイッチ１２３とキャリッジ１１３との間には、ガラス板１２４が差し込まれ、ユーザによるスイッチ１２３の押下量を制限している。
【００５１】
また、上記実施形態では、光強度情報格納テーブル４０１に格納する光強度情報１５０は、白黒データである。しかしながら、本発明は、これに限定されず、ＲＧＢデータ等の色データを光強度情報格納テーブル４０１に格納するようにしてもよい。
【００５２】
さらに、上記実施形態では、スキャナボタン部１１１に配置されている光を透過する領域は、孔１２１としている。しかしながら、本発明は、これに限定されず、光を透過する領域は、光を透過しさえすれば、任意である。例えば、光を透過する領域にガラスを使用してもよい。
【００５３】
また、上記実施形態では、キャリッジ１１３に備わる受光素子３０３の個数は、スキャナボタン部１１１に配置されている孔１２１の個数とは無関係である。しかしながら、本発明は、受光素子３０３の個数と、孔１２１の個数を同一にしてもよい。
【００５４】
さらに、上記実施形態における光強度情報１５０は、例えば、照度を示す情報でもよい。
【図面の簡単な説明】
【００５５】
【図１】本発明の実施形態に係る原稿読取装置の外観を説明するための図である。
【図２】（Ａ）原稿読取部の外観を説明するための図である。（Ｂ）ＡＤＦ原稿読み込み部を備える原稿読取部の外観を説明するための図である。
【図３】（Ａ）原稿読み取り時の原稿読取部の内部を説明するための図である。（Ｂ）スキャナボタン部読み取り時の原稿読読取部の内部を説明するための図である。
【図４】スキャナボタン部の外観を説明するための図である。
【図５】原稿読取装置の機能構成図である。
【図６】（Ａ）光強度情報格納テーブルのデータ構造を概念的に示す図である。（Ｂ）受光素子対応テーブルのデータ構造を概念的に示す図である。
【図７】処理決定テーブルのデータ構造を概念的に示す図である。
【図８】原稿読取装置のハードウェア構成の一例を示す図である。
【図９】スキャナボタン部からユーザの指示を受け付ける処理を説明するためのフローチャートである。
【図１０】（Ａ）スキャナボタン部の孔の形状を数字にした場合の外観を説明するための図である。（Ｂ）スキャナボタン部にスイッチを設けた場合の外観を説明するための図である。
【図１１】スイッチを設けたスキャナボタン部読み取り時の原稿読取部の内部を説明するための図である。
【符号の説明】
【００５６】
１００：原稿読取装置、１０３：原稿読取部、１１１：スキャナボタン部、１１２：ガラス台、１１３：キャリッジ、１１５：入力部、１２１：孔、１２２：孔識別情報、１２３：スイッチ、１２４：ガラス板、１５０：光強度情報、２００：制御部、２０１：キャリッジ制御部、２０２：光強度情報解析部、２０３：処理決定部、２０４：状態記憶部、２１１：駆動制御部、２１２：Ａ／Ｄコンバータ、２１３：光強度情報蓄積部、３０１：駆動部、３０２：受光部、３０３：受光素子、４０１：光強度情報格納テーブル、４０２：受光素子対応テーブル、４１１：受光素子番号欄、４１２：光強度情報欄、４２１：孔識別番号欄、４２２：受光素子番号欄、５００：処理決定テーブル、５０１：状態欄、５０２：操作欄、５０３：処理内容欄、７０１：ＣＰＵ、７０２：主記憶装置、７０３：ＡＳＩＣ、７０４：通信装置、７０５：外部記憶装置、７０６：入出力装置
【図１】
2008245091.tif 000003
【図２】
2008245091.tif 000004
【図３】
2008245091.tif 000005
【図４】
2008245091.tif 000006
【図５】
2008245091.tif 000007
【図６】
2008245091.tif 000008
【図７】
2008245091.tif 000009
【図８】
2008245091.tif 000010
【図９】
2008245091.tif 000011
【図１０】
2008245091.tif 000012
【図１１】
2008245091.tif 000013